(57)【特許請求の範囲】
【請求項１】
記録媒体上に情報を記録する情報記録装置において、
非ユーザ領域の開始を検出する開始検出手段と、
情報の記録を停止する記録制限手段と、
再生信号に重畳されたＤＣレベルを検出するＤＣレベル検出手段と、
ＤＣレベルを抑制するためのパターンデータを記録するパターンデータ記録手段とを有し、
前記非ユーザ領域の開始から所定期間は前記記録制限手段によって情報の記録を停止すると共に、前記ＤＣレベル検出手段によって当該所定期間に重畳されたＤＣレベルを検出せしめ、
当該所定期間後、前記パターンデータ記録手段によって当該非ユーザ領域に前記パターンデータを記録する、
ことを特徴とする情報記録装置。
【請求項２】
請求項１において、前記パターンデータ記録手段は、
偏ったＤＣレベルをもつデータパターンを記録するＤＣ偏重パターン記録手段を有し、
前記非ユーザ領域に対するパターンデータ記録は、前記ＤＣ偏重パターン記録手段によってＤＣ偏重パターンを記録してなされる、
ことを特徴とする情報記録装置。
【請求項３】
請求項１において、前記パターンデータ記録手段は、
偏ったＤＣレベルをもつデータパターンを記録するＤＣ偏重パターン記録手段と、
ＤＣレベルの重畳されないＤＣフリーパターンデータを記録するＤＣフリーパターン記録手段とを有し、
前記非ユーザ領域に対するパターンデータ記録は、前記ＤＣ偏重パターン記録手段によってＤＣ偏重パターンを記録した後、前記ＤＣフリーパターン記録手段によってＤＣフリーパターンデータを記録してなされる、
ことを特徴とする情報記録装置。
【請求項４】
請求項１から３の何れかにおいて、前記ＤＣレベル検出手段は、前記非ユーザ領域の開始から所定期間において当該非ユーザ領域から検出された再生信号に基づいて、ＤＣレベルを検出することを特徴とする情報記録装置。
【請求項５】
請求項１から４の何れかにおいて、前記情報の記録再生を行うためのレーザビームを出射するレーザ出射手段と、前記レーザ手段のレーザ強度を設定するレーザ強度設定手段とをさらに有し、
前記レーザ強度設定手段は、前記ＤＣレベル検出手段によるＤＣレベルの検出期間においてはレーザ強度を再生レーザパワーに設定し、前記ＤＣ偏重パターン記録手段または前記ＤＣフリーパターン記録手段による記録期間においてはレーザ強度を記録レーザパワーに設定する、
ことを特徴とする情報記録装置。
【請求項６】
記録媒体上に情報を記録する情報記録方法において、
非ユーザ領域を検出する非ユーザ領域検出ステップと、
前記非ユーザ領域開始の後所定の期間に再生信号に重畳されるＤＣレベルを検出するＤＣレベル検出ステップと、
検出されたＤＣレベルに基づいて当該ＤＣレベルを抑制する記録データパターンを設定するデータパターン設定ステップと、
設定された記録データパターンを当該非ユーザ領域に記録するデータパターン記録ステップと、
を有することを特徴とする情報記録方法。
【請求項７】
記録媒体上に情報を記録する情報記録方法において、
非ユーザ領域を検出する非ユーザ領域検出ステップと、
前記非ユーザ領域開始の後所定の期間だけ記録を制限する記録制限ステップと、
前記非ユーザ領域開始の後所定の期間に再生信号に重畳されるＤＣレベルを検出するＤＣレベル検出ステップと、
検出されたＤＣレベルに基づいて当該ＤＣレベルを抑制する記録データパターンを設定するデータパターン設定ステップと、
設定された記録データパターンを当該非ユーザ領域に記録するデータパターン記録ステップと、
を有することを特徴とする情報記録方法。
【請求項８】
レーザビームを用いて記録媒体上に情報を記録する情報記録方法において、
非ユーザ領域を検出する非ユーザ領域検出ステップと、
前記非ユーザ領域開始の後所定の期間だけ前記レーザビームを再生レーザパワーに設定するレーザパワー制限ステップと、
前記非ユーザ領域開始の後所定の期間に再生信号に重畳されるＤＣレベルを前記再生レーザパワーのビームによって再生した再生信号に基づいて検出するＤＣレベル検出ステップと、
検出されたＤＣレベルに基づいて当該ＤＣレベルを抑制する記録データパターンを設定するデータパターン設定ステップと、
前記レーザビームを記録レーザビームに復帰させるレーザパワー復帰ステップと、
前記設定された記録データパターンを当該非ユーザ領域に記録するデータパターン記録ステップと、
を有することを特徴とする情報記録方法。
【請求項９】
請求項６から８の何れかにおいて、前記データパターン設定ステップは、偏ったＤＣレベルをもつデータパターンを記録データパターンとして設定する、
ことを特徴とする情報記録方法。
【請求項１０】
請求項６から８の何れかにおいて、前記データパターン設定ステップは、偏ったＤＣレベルをもつデータパターンを記録データパターンとして設定した後、ＤＣレベルの重畳されないＤＣフリーパターンデータを記録データとして設定する、
ことを特徴とする情報記録方法。
【請求項１１】
請求項６から１０の何れかにおいて、前記データパターン記録ステップは、当該非ユーザ領域の終了まで、前記データパターンを記録する、ことを特徴とする情報記録方法。
【発明の詳細な説明】
【０００１】
【発明の属する技術分野】
本発明は、情報記録装置および情報記録方法に関し、特に交流結合方式にて情報を記録する情報記録装置および情報記録方法に用いて好適なものである。
【０００２】
【従来の技術】
情報の書き込みが可能な記録媒体として、光磁気ディスク、相変化ディスク型等の光ディスクが商品化されている。これらディスクに対し情報を記録・再生する場合、一般に、交流結合方式によりデータの授受が行われる。従って、かかるディスクに対し高密度記録を行う場合には、低周波数領域の信号成分を高効率で記録再生することが非常に困難となる。
【０００３】
そこで、ＥＦＭ変調、ＲＬＬ変調等の変調方式によりディジタルデータに対し変調を施し、これにより直流成分及び低周波成分を抑圧した上で、ディスクに対しデータを記録する方法が広く採用されている。
【０００４】
一方、ディジタルディスクでは、アドレス情報を物理フォーマット上に保持させる手法として、ディスク上に形成されたグルーブ（記録トラック溝）の壁を所定の周期でウォブリングさせる方法が採られ得る。かかる方法は、最近、規格化されたＡＳ−ＭＯ（Ａｄｖａｎｃｅｄ Ｓｔｏｒａｇｅｄ Ｍａｇｎｅｔｏ Ｏｐｔｉｃａｌ ｄｉｓｋ）規格においても採用されている。
【０００５】
また、かかるＡＳ−ＭＯ規格に従うディスクにおいては、データの記録または再生の際に用いるクロックを生成する基準となるファインクロックマークが所定の周期で形成されている。このファインクロックマークは、具体的には、ランド（隣接グルーブ間の平坦領域）に所定周期で３〜４データチャネルビット程度の長さを有するグルーブ（溝部）を設け、グルーブに所定周期で同じく３〜４データチャネルビット程度の長さを有するランド（平坦部）を設けることにより形成される。
【０００６】
上記ウォブルが形成されている領域は、反射ビームの強度が不安定となるため、通常、ディジタルデータの記録領域として利用されない。さらに、ファインクロックマーク領域を中心として前後６データチャネルビットの領域（ファインクロックマーク領域）も、ファインクロックマークによる悪影響を避けるため、ディジタルデータの記録には利用されない。
【０００７】
さらに、ディスク上には、記録・消去の繰り返しや経年変化などにより、データを良好に記録再生できないディフェクト領域が存在する。したがって、ディジタルデータの記録は、上記ウォブル領域やファインクロックマーク領域の他、かかるディフェクト領域をも排除したグルーブおよびランド上の領域（ユーザデータ領域）に対して行われる。
【０００８】
かかるユーザデータ領域に対するデータの記録は、上記の如く、直流成分及び低周波成分を抑圧するために、ＥＦＭ変調、ＲＬＬ変調等の変調が施された後に行われる。しかしながら、かかるユーザデータ領域以外の非ユーザデータ領域、すなわち上述のウォブル領域やファインクロックマーク領域およびディフェクト領域にはデータが記録されないため、再生時に、かかる非ユーザデータ領域をビームが走査すると、再生信号に直流成分および低周波成分が含まれてしまう。このため、それに続いてユーザデータ領域をビームが走査した場合に、その再生信号に直流成分や低周波成分が重畳され、ユーザ領域に記録されているデータ列を正しく再生できないという問題が生じる。
【０００９】
そこで、かかる不都合を解消すべく、出願人が先に出願した特開２００１−１４３３９８号公報に記載の発明では、上記非ユーザデータ領域にもＤＣフリーパターンを記録するようにし、これにより、非ユーザデータ領域からの再生信号に直流成分および低周波成分が含まれることを防止している。
【００１０】
【発明が解決しようとする課題】
しかしながら、上記特開２００１−１４３３９８号公報に記載の発明によれば、非ユーザデータ領域に対し、一律無条件にＤＣフリーパターンを記録するものであるから、当該非ユーザデータ領域に対しＤＣフリーパターンを記録しない場合に比べ、装置の消費電力が大きくなってしまう。特に、装置を小型携帯性のあるものとする場合には、かかる消費電力の問題は重要で、装置の商品化を阻害することとなり兼ねないものとなる。
【００１１】
そこで、本発明は、かかる問題を解消し、消費電力の抑制を図りながら、上記直流成分や低周波成分が重畳をも同時に抑制し得る情報記録装置および情報記録方法を提供することを課題とする。
【００１２】
【課題を解決するための手段】
上記課題に鑑み、本発明は以下の特徴を有する。
【００１３】
請求項１の発明は、記録媒体上に情報を記録する情報記録装置において、非ユーザ領域の開始を検出する開始検出手段と、情報の記録を停止する記録制限手段と、再生信号に重畳されたＤＣレベルを検出するＤＣレベル検出手段と、ＤＣレベルを抑制するためのパターンデータを記録するパターンデータ記録手段とを有し、前記非ユーザ領域の開始から所定期間は前記記録制限手段によって情報の記録を停止すると共に、前記ＤＣレベル検出手段によって当該所定期間に重畳されたＤＣレベルを検出せしめ、当該所定期間後、前記パターンデータ記録手段によって当該非ユーザ領域に前記パターンデータを記録する、ことを特徴とする。
【００１４】
請求項２の発明は、請求項１に記載の情報記録装置において、前記パターンデータ記録手段は、偏ったＤＣレベルをもつデータパターンを記録するＤＣ偏重パターン記録手段を有し、前記非ユーザ領域に対するパターンデータ記録は、前記ＤＣ偏重パターン記録手段によってＤＣ偏重パターンを記録してなされる、ことを特徴とする。
【００１５】
請求項３の発明は、請求項１に記載の情報記録装置において、前記パターンデータ記録手段は、偏ったＤＣレベルをもつデータパターンを記録するＤＣ偏重パターン記録手段と、ＤＣレベルの重畳されないＤＣフリーパターンデータを記録するＤＣフリーパターン記録手段とを有し、前記非ユーザ領域に対するパターンデータ記録は、前記ＤＣ偏重パターン記録手段によってＤＣ偏重パターンを記録した後、前記ＤＣフリーパターン記録手段によってＤＣフリーパターンデータを記録してなされる、ことを特徴とする。
【００１６】
請求項４の発明は、上記請求項１から３の何れかに記載の情報記録装置において、前記ＤＣレベル検出手段は、前記非ユーザ領域の開始から所定期間において当該非ユーザ領域から検出された再生信号に基づいて、ＤＣレベルを検出することを特徴とする。
【００１７】
請求項５の発明は、上記請求項１から４の何れかにおいて、前記情報の記録再生を行うためのレーザビームを出射するレーザ出射手段と、前記レーザ手段のレーザ強度を設定するレーザ強度設定手段とをさらに有し、前記レーザ強度設定手段は、前記ＤＣレベル検出手段によるＤＣレベルの検出期間においてはレーザ強度を再生レーザパワーに設定し、前記ＤＣ偏重パターン記録手段または前記ＤＣフリーパターン記録手段による記録期間においてはレーザ強度を記録レーザパワーに設定する、ことを特徴とする。
【００１８】
請求項６の発明は、記録媒体上に情報を記録する情報記録方法において、非ユーザ領域を検出する非ユーザ領域検出ステップと、前記非ユーザ領域開始の後所定の期間に再生信号に重畳されるＤＣレベルを検出するＤＣレベル検出ステップと、検出されたＤＣレベルに基づいて当該ＤＣレベルを抑制する記録データパターンを設定するデータパターン設定ステップと、設定された記録データパターンを当該非ユーザ領域に記録するデータパターン記録ステップと、を有することを特徴とする。
【００１９】
請求項７の発明は、記録媒体上に情報を記録する情報記録方法において、非ユーザ領域を検出する非ユーザ領域検出ステップと、前記非ユーザ領域開始の後所定の期間だけ記録を制限する記録制限ステップと、前記非ユーザ領域開始の後所定の期間に再生信号に重畳されるＤＣレベルを検出するＤＣレベル検出ステップと、検出されたＤＣレベルに基づいて当該ＤＣレベルを抑制する記録データパターンを設定するデータパターン設定ステップと、設定された記録データパターンを当該非ユーザ領域に記録するデータパターン記録ステップとを有することを特徴とする。
【００２０】
請求項８の発明は、レーザビームを用いて記録媒体上に情報を記録する情報記録方法において、非ユーザ領域を検出する非ユーザ領域検出ステップと、前記非ユーザ領域開始の後所定の期間だけ前記レーザビームを再生レーザパワーに設定するレーザパワー制限ステップと、前記非ユーザ領域開始の後所定の期間に再生信号に重畳されるＤＣレベルを前記再生レーザパワーのビームによって再生した再生信号に基づいて検出するＤＣレベル検出ステップと、検出されたＤＣレベルに基づいて当該ＤＣレベルを抑制する記録データパターンを設定するデータパターン設定ステップと、前記レーザビームを記録レーザビームに復帰させるレーザパワー復帰ステップと、前記設定された記録データパターンを当該非ユーザ領域に記録するデータパターン記録ステップと、を有することを特徴とする。
【００２１】
請求項９の発明は、上記請求項６から８の何れかに記載の情報記録方法において、前記データパターン設定ステップは、偏ったＤＣレベルをもつデータパターンを記録データパターンとして設定する、ことを特徴とする。
【００２２】
請求項１０の発明は、上記請求項６から８の何れかに記載の情報記録方法において、前記データパターン設定ステップは、偏ったＤＣレベルをもつデータパターンを記録データパターンとして設定した後、ＤＣレベルの重畳されないＤＣフリーパターンデータを記録データとして設定する、ことを特徴とする。
【００２３】
請求項１１の発明は、上記請求項６から１０の何れかに記載の情報記録方法において、前記データパターン記録ステップは、当該非ユーザ領域の終了まで、前記データパターンを記録する、ことを特徴とする。
【００２４】
なお、上記各請求項において、「非ユーザ領域」とは、上記従来技術の項で説明したアドレス領域やファインクロックマーク領域およびディフェクト領域等、本来、データ記録・再生がなされないような領域をいう。また、「ＤＣレベル」とは、再生信号に重畳される直流成分のレベルのことである。また、「偏ったＤＣレベルをもつパターンデータ」とは、たとえば０００…の連続データや、１１１…の連続データ等、そのデータの記録により、再生信号にプラスまたはマイナスの直流成分が重畳されることとなるようなデータである。
【００２５】
また、「ＤＣフリーパターンデータ」とは、そのデータの記録によっては、再生信号に直流成分が重畳されない、または、殆ど重畳されないようなデータである。かかる「ＤＣフリーパターンデータ」は、一般に所定長さを有する論理レベルが交互に反対のデータパターンであれば良く、「１０１０１０１０・・・」や、「１１００１１００１１００・・・」や、「１１１０００１１１０００・・・」等であって良い。また、所定長さを有する論理レベルが交互に反対のデータパターンでなくても「１００００１００００１０００・・・」のように所定の間隔で「１」が記録されるようなデータパターンであってもよい。この場合、一般的には、「１」と「１」との間隔はディジタル変調方式の最大の長さより短く設定されたものであれば良い。
【００２６】
本発明の特徴は、以下に示す実施の形態の説明により更に明らかとなろう。
【００２７】
なお、請求項における「開始検出手段」は実施の形態におけるアドレス検出回路１０５が主として対応する。請求項における「記録制限手段」は実施の形態におけるタイミング発生回路１１５が主として対応する。請求項における「ＤＣレベル検出手段」は実施の形態におけるＤＣレベル演算部１２１が対応する。請求項における「パターンデータ記録手段」は実施の形態における第１のパターン発生回路１２０、第２のパターン発生回路１１９およびセレクタ回路１２２が主として対応する。請求項における「ＤＣ偏重パターン記録手段」は実施の形態における第２のパターン発生回路１１９およびセレクタ回路１２２が主として対応する。請求項における「ＤＣフリーパターン記録手段」は実施の形態における第１のパターン発生回路１２０およびセレクタ回路１２２が主として対応する。請求項における「レーザ出射手段」は実施の形態における光ピックアップ１０２が対応する。請求項における「レーザ強度設定手段」は実施の形態におけるレーザ駆動回路１２４が主として対応する。
【００２８】
また、請求項における「非ユーザ領域検出ステップ」は実施の形態におけるステップＳ１０２が対応する。請求項における「ＤＣレベル検出ステップ」は実施の形態におけるステップＳ１０５が対応する。請求項における「データパターン設定ステップ」は実施の形態におけるステップＳ１０７およびＳ１１１が対応する。請求項における「データパターン記録ステップ」は実施の形態におけるステップＳ１０８およびステップＳ１１１が対応する。請求項における「記録制限ステップ」は実施の形態におけるステップＳ１０４が対応する。請求項における「レーザパワー制限ステップ」は実施の形態におけるステップＳ１０４が対応する。請求項における「レーザパワー復帰ステップ」は実施の形態におけるステップＳ１０８が対応する。
【００２９】
ただし、以下の実施の形態は、あくまでも、本発明の一つの実施形態であって、本発明ないし各構成要件の用語の意義は、以下の実施の形態に記載されたものに制限されるものではない。
【００３０】
【発明の実施の形態】
以下、本発明の実施の形態につき図面を参照して説明する。
【００３１】
まず、図１を参照して、光磁気ディスクの構成について説明する。光磁気ディスク１００には、記録単位であるフレーム（Ｆｒａｍｅ）が等間隔で配置されており、各フレームは３９個のセグメント（Ｓｅｇｍｅｎｔ）Ｓ０、Ｓ１、Ｓ２、・・・Ｓ３８によって構成されている。
【００３２】
光磁気ディスク１００は、グルーブ１とランド２とを径方向に交互に形成した平面構造を有し、グルーブ１とランド２とがスパイラル状若しくは同心円状に配されている。そして、各セグメントの長さは５３２ＤＣＢ（Ｄａｔａ Ｃｈａｎｎｅｌ Ｂｉｔ）であり、各セグメントの先頭には、データの記録、再生を行うクロックの位相情報を示すファインクロックマーク（ＦＣＭ：Ｆｉｎｅ Ｃｌｏｃｋ Ｍａｒｋ）３が形成されている。このファインクロックマーク３は、グルーブ１に一定間隔毎に一定長さのランドを設けると共に、ランド２に一定間隔毎に一定長さのグルーブを設けることにより形成される。そして、フレームの先頭であるセグメントＳ０には、ファインクロックマーク３に続いて、光磁気ディスク１００上のアドレスを示すアドレス情報（Ａｄｄｒｅｓｓ）が、ウォブル４、５、６、７、８、９によって光磁気ディスク１００の製造時にプリフォーマットされている。
【００３３】
ウォブル４とウォブル５、ウォブル６とウォブル７、およびウォブル８とウォブル９とは、グルーブ１の互いに反対側の壁に形成されており、同じアドレス情報が記録されている。これにより光磁気ディスク１００にチルト等が発生し、レーザ光がグルーブ１若しくはランド２の中心からずれた場合にも、何れかの壁面に形成されたウォブルによって正確にアドレス情報を検出することができる。
【００３４】
なお、アドレス情報が記録された領域とファインクロックマーク３が形成された領域はユーザデータを記録する領域としては利用されない。また、セグメントＳｎは、ファインクロックマーク３とユーザデータＵｓｅｒＤａｔａ ｎ−１とにより構成される。
【００３５】
次に、図２を参照して、各セグメントの詳細な構成について説明する。フレームを構成する各セグメントＳ０、Ｓ１、Ｓ２、・・・Ｓ３８のうち、セグメントＳ０は光磁気ディスク１００上にプリフォーマットされたアドレスセグメントであり、セグメントＳ１からセグメントＳ３８はユーザデータの記録領域として確保されたデータセグメントである。
【００３６】
セグメントＳ０は、１２ＤＣＢのファインクロックマーク領域ＦＣＭと５２０ＤＣＢのアドレス（Ａｄｄｒｅｓｓ）とから構成される。また、セグメントＳ１は、１２ＤＣＢのファインクロックマーク領域ＦＣＭと、４ＤＣＢのＰｒｅ−Ｗｒｉｔｅ、３２０ＤＣＢのＨｅａｄｅｒ、１９０ＤＣＢのＤａｔａおよび４ＤＣＢのＰｏｓｔ−Ｗｒｉｔｅとから構成される。また、セグメントＳ２からセグメントＳ３８までの各セグメントは、１２ＤＣＢのファインクロックマーク領域ＦＣＭと、４ＤＣＢのＰｒｅ−Ｗｒｉｔｅ、５１２ＤＣＢのＤａｔａおよび４ＤＣＢのＰｏｓｔ−Ｗｒｉｔｅとから構成される。
【００３７】
ここで、Ｐｒｅ−Ｗｒｉｔｅは、データの書き出しを示すものであり、例えば、所定のパターン「００１１」から構成される。また、Ｐｏｓｔ−Ｗｒｉｔｅはデータの終わりを示すものであり、例えば、所定のパターン「１１００」から構成される。
【００３８】
また、セグメントＳ１のユーザデータ領域には、再生時のデータの位置確認、再生クロックの位相補償、レーザパワー調整等を行うための固定パターンであるヘッダ（Ｈｅａｄｅｒ）が設けられている。ヘッダに記録する固定パターンは直流成分を抑えたパターン（「ＤＣフリーであるパターン」と言う、以下同じ。）であり、例えば、２Ｔのドメインを２Ｔの間隔で所定個数形成したものと、８Ｔのドメインを８Ｔの間隔で所定個数形成したものとが記録される。
【００３９】
そして、２Ｔのドメインを再生して得られたアナログ信号のサンプリングのタイミングがデータの記録、再生に用いるクロックの位相に一致するように調整することにより位相補償を行う。また、２Ｔのドメインと８Ｔのドメインとを再生し、８Ｔのドメインの再生信号強度に対する２Ｔのドメインの再生信号強度の比が５０％以上になるようにレーザパワーの調整を行う。また、８Ｔのドメインを再生し、再生信号を２値化したディジタル信号の位置が予め予想された８Ｔのドメインのディジタル信号の位置と一致するかを確認することにより再生時のデータの位置確認を行う。さらに、Ｐｒｅ−Ｗｒｉｔｅ、Ｐｏｓｔ−Ｗｒｉｔｅ、およびＨｅａｄｅｒの各パターンは、ユーザデータ記録時にユーザデータと連続して記録される。
【００４０】
次に、図３を参照して、実施の形態に係るデータ記録再生装置の構成について説明する。
【００４１】
データ記録再生装置２００は、スピンドルモータ１０１と、光ピックアップ１０２と、ファインクロックマーク検出回路（ＦＣＭ検出回路）１０３と、ＰＬＬ回路１０４と、アドレス検出回路１０５と、ＢＰＦ１０６と、ＡＤ変換器１０７と、波形等化回路１０８と、ビタビ復号回路１０９と、アンフォーマット回路１１０と、データ復調回路１１１と、ＢＣＨデコーダ１１２と、ヘッダ検出回路１１３と、コントローラ１１４と、タイミング発生回路１１５と、ＢＣＨエンコーダ１１６と、データ変調回路１１７と、フォーマット回路１１８と、第２のパターン発生回路１１９と、第１のパターン発生回路１２０と、ＤＣレベル演算部１２１と、セレクタ回路１２２と、磁気ヘッド駆動回路１２３と、レーザ駆動回路１２４と、磁気ヘッド１２５とを備える。
【００４２】
スピンドルモータ１０１は、光磁気ディスク１００を所定回転数で回転させる。光ピックアップ１０２は、光磁気ディスク１００にレーザ光を照射し、その反射光を検出する。ＦＣＭ検出回路１０３は、光ピックアップ１０２が光磁気ディスク１００のファインクロックマーク３からタンジェンシャルプッシュプル法により検出した信号（ＴＰＰ）に基づいてファインクロックマーク３の位置を示すファインクロックマーク検出信号（ＦＣＭＴ）を検出する。そして、検出したファインクロックマーク検出信号（ＦＣＭＴ）をＰＬＬ回路１０４とタイミング発生回路１１５とへ出力する。
【００４３】
ＰＬＬ回路１０４は、ＦＣＭ検出回路１０３から出力された信号（ＦＣＭＴ）に基づいてクロック（ＣＫ）を生成し、その生成したクロック（ＣＫ）をアドレス検出回路１０５やＡＤ変換器１０７等の各回路に出力する。
【００４４】
アドレス検出回路１０５は、光ピックアップ１０２が光磁気ディスク１００のセグメントＳ０からラジアルプッシュプル法により検出したアドレス信号（ＲＰＰ）を入力し、ＰＬＬ回路１０４から入力したクロック（ＣＫ）に同期してアドレス情報（ＡＤ）を検出する。また、アドレス信号の検出に同期したアドレス同期信号（ＡＤＲ）を生成する。そして、検出したアドレス情報（ＡＤ）をコントローラ１１４へ出力し、生成したアドレス同期信号（ＡＤＲ）をヘッダ検出回路１１３とタイミング発生回路１１５とへ出力する。
【００４５】
ＢＰＦ１０６は、光磁気ディスク１００から再生した再生信号（ＲＦ）の高域と低域を除去する。ＡＤ変換器１０７は、ＰＬＬ回路１０４からのクロック（ＣＫ）に同期して再生信号（ＲＦ）をアナログ信号からディジタル信号に変換する。波形等化回路１０８は、ＰＬＬ回路１０４からのクロック（ＣＫ）に同期してディジタル信号に変換された再生信号（ＲＦＤ）にＰＲ（１、１）波形等化を行う。即ち、検出信号の前後のデータが１対１に波形干渉を行うように等化する。
【００４６】
また、ビタビ復号回路１０９は、ＰＬＬ回路１０４からのクロック（ＣＫ）に同期して再生信号（ＲＦＤ）を多値から２値に変換し、その変換した２値再生信号をアンフォーマット回路１１０と、ヘッド検出回路１１３とへ出力する。
【００４７】
アンフォーマット回路１１０は、ヘッダ検出回路１１３から光磁気ディスク１００のユーザデータ領域に記録されたプリライト（Ｐｒｅ−Ｗｒｉｔｅ）、ポストライト（Ｐｏｓｔ−Ｗｒｉｔｅ）、およびヘッダのタイミングを入力とし、ＰＬＬ回路１０４からのクロック（ＣＫ）に同期して２値再生信号からプリライト（Ｐｒｅ−Ｗｒｉｔｅ）、ポストライト（Ｐｏｓｔ−Ｗｒｉｔｅ）、およびヘッダを除去する。
【００４８】
データ復調回路１１１は、ＰＬＬ回路１０４からのクロック（ＣＫ）に同期してアンフォーマットされた２値再生信号を入力して、記録時に施されたディジタル変調を解くための復調を行う。ＢＣＨデコーダ１１２は、復調された再生信号の誤り訂正を行い、再生データとして出力する。
【００４９】
ヘッダ検出回路１１３は、コントローラ１１４から入力したアドレス情報およびアドレス検出回路１０５から入力したアドレス検出信号（ＡＤＲ）に基づいて再生信号に含まれるヘッダの位置を検出し、ＰＬＬ回路１０４からのクロック（ＣＫ）に同期して再生信号からプリライト（Ｐｒｅ−Ｗｒｉｔｅ）、ポストライト（Ｐｏｓｔ−Ｗｒｉｔｅ）、およびヘッダのタイミング信号を生成する。そして、生成したヘッダのタイミング信号をアンフォーマット回路１１０、およびデータ復調回路１１１へ出力する。
【００５０】
コントローラ１１４は、アドレス検出回路１０５で検出したアドレス情報（ＡＤ）を入力し、そのアドレス情報（ＡＤ）に基づいて図示省略したサーボ機構を制御して光ピックアップ１０２を所望の位置にアクセスさせ、ＰＬＬ回路１０４からのクロック（ＣＫ）に同期してアドレス情報（ＡＤ）をヘッダ検出回路１１３へ出力すると共に、タイミング発生回路１１５を制御する。
【００５１】
タイミング発生回路１１５は、アドレス同期信号ＡＤＲ等に基づき、ＤＣレベル測定窓信号ＤＣＥＮ、ライトパターン選択信号ＷＳＥＬ、磁気ヘッド駆動窓信号ＷＭＥＮ、記録レーザパワー窓信号ＷＰＥＮ等の各種タイミング信号を発生させる。
【００５２】
ＢＣＨエンコーダ１１６は、記録データに誤り訂正符号を付加する。データ変調回路１１７は、記録データを所定の方式に変調する。フォーマット回路１１８は、ＰＬＬ回路１０４からのクロック（ＣＫ）に同期し、タイミング発生回路１１５からのタイミング信号に基づいて記録データにプリライト（Ｐｒｅ−Ｗｒｉｔｅ）、ヘッダ、およびポストライト（Ｐｏｓｔ−Ｗｒｉｔｅ）を追加して記録データをユーザデータ領域に対してフォーマットし、かかるフォーマット後のデータ（ＷＦＭＴ）をセレクタ回路１２２へ出力する。
【００５３】
第１のパターン発生回路１２０は、上記直流成分を抑えた固定パターンであるＤＣフリーパターンデータＷＰＴ１を生成し、セレクタ回路１２２へ出力する。第２のパターン発生回路１１９は、ＤＣレベルがプラスに偏ったデータパターンＷＰＴ２およびマイナスに偏ったデータパターンＷＰＴ３を生成し、セレクタ回路１２２へ出力する。たとえば、ＷＰＴ２を電源レベル、ＷＰＴ３をグランドレベルに直結するようにしても良い。
【００５４】
セレクタ回路１２２は、タイミング発生回路１１５からのタイミング信号（ＷＳＥＬ）に基づいて、上記各種のデータＷＦＭＴ、ＷＰＴ１、ＷＰＴ２、ＷＰＴ３の何れかを選択し、これを磁気ヘッド駆動回路１２３に出力する。
【００５５】
磁気ヘッド駆動回路１２３は、タイミング発生回路１１５からのタイミング信号に同期してセレクタ回路１２２からの出力に基づいて磁気ヘッド１２５を駆動する。レーザ駆動回路１２４は、タイミング発生回路１１５からのタイミング信号に基づいて光ピックアップ１０２中の半導体レーザ（図示省略）を駆動する。磁気ヘッド１２５は、磁気ヘッド駆動回路１２３からの駆動に基づいて光磁気ディスク１００に記録データまたはデータパターンにより磁界変調された磁界を印加する。
【００５６】
ＤＣレベル演算回路１２１は、タイミング発生回路１１５からのタイミング信号に同期して、アドレス領域における再生ＤＣレベルＤＣＬＶを、ＡＤ１０７からの再生データに基づいて演算する。かかる演算は、ＤＣレベルの測定が可能であればどのような手法に従ってもよく、たとえば平均化演算等を採用することができる。演算されたＤＣレベルＤＣＬＶは、タイミング発生回路１１５へと出力され、上記各種タイミング信号の発生のために参照される。
【００５７】
次に、上記記録再生装置における各部の構成および動作について説明する。
【００５８】
図４を参照して、光磁気ディスク１００からアドレス情報、ファイクロックマーク、および光磁気信号の検出する手法について説明する。ウォブル４、５、６、７とファインクロックマーク３とが形成された領域１０、およびファインクロック３が形成された領域３０は光磁気ディスク１００の製造時にプリフォーマットされるプリフォーマット領域を構成し、ユーザデータが記録される領域２０はユーザデータ領域を構成する。
【００５９】
光磁気ディスク１００にレーザ光ＬＢを照射し、その反射光を検出する光ピックアップ１０２中の光検出器１０２０は、６つの検出領域１０２０Ａ、１０２０Ｂ、１０２０Ｃ、１０２０Ｄ、１０２０Ｅ、１０２０Ｆを有する。これら６つの検出領域のうち、領域Ａ１０２０Ａと領域Ｂ１０２０Ｂ、領域Ｃ１０２０Ｃと領域Ｄ１０２０Ｄおよび領域Ｅ１０２０Ｅと領域Ｆ１０２０Ｆが光磁気ディスクのトラック方向ＤＲ１に配置され、領域Ａ１０２０Ａと領域Ｃ１０２０Ｃ、領域Ｂ１０２０Ｂと領域Ｄ１０２０Ｄは光磁気記録媒体のトラッキング方向ＤＲ２に配置されている。したがって、領域Ａ１０２０Ａ、領域Ｂ１０２０Ｂ、領域Ｃ１０２０Ｃ、および領域Ｄ１０２０Ｄは、それぞれ、光磁気ディスクに照射されたレーザ光ＬＢのＡ領域、Ｂ領域、Ｃ領域、Ｄ領域での反射光を検出する。
【００６０】
領域Ｅ１０２０Ｅ、領域Ｆ１０２０Ｆは、レーザ光ＬＢのＡ領域、Ｂ領域、Ｃ領域、およびＤ領域の全体で反射されたレーザ光を光ピックアップ１０２中の図示省略したウォラストンプリズムにより偏光面の異なる２つの方向に回折された偏光面の異なるレーザ光を検出する。
【００６１】
ユーザデータ領域である領域２０に記録した光磁気信号の再生信号ＲＦは、光検出器１０２０の領域Ｅ１０２０Ｅで検出されたレーザ光強度［Ｅ］と領域Ｆ１０２０Ｆで検出されたレーザ光強度［Ｆ］との差を演算することにより検出される。即ち、差分器４００で構成される回路４０で検出され、差分器４００は、領域Ｅ１０２０Ｅで検出されたレーザ光強度［Ｅ］と領域Ｆ１０２０Ｆで検出されたレーザ光強度［Ｆ］との差分を演算し、再生信号ＲＦ＝［Ｅ］−［Ｆ］を出力する。
【００６２】
また、プリフォーマット領域を構成する領域１０のウォブル４、５、６、７で記録したアドレス情報の再生信号は、ラジアルプッシュプル法により検出され、領域Ａ１０２０Ａで検出されたレーザ光強度［Ａ］と領域Ｂ１０２０Ｂで検出されたレーザ光強度［Ｂ］との和から領域Ｃ１０２０Ｃで検出されたレーザ光強度［Ｃ］と領域Ｄ１０２０Ｄで検出されたレーザ光強度［Ｄ］との和を減じたものとして検出される。
【００６３】
即ち、アドレス情報は、回路５０を構成する加算器５００、５０１と減算器５０２により検出される。加算器５００は、領域Ａ１０２０Ａで検出されたレーザ光強度［Ａ］と領域Ｂ１０２０Ｂで検出されたレーザ光強度［Ｂ］とを加算した［Ａ＋Ｂ］を出力し、加算器５０１は、領域Ｃ１０２０Ｃで検出されたレーザ光強度［Ｃ］と領域Ｄ１０２０Ｄで検出されたレーザ光強度［Ｄ］とを加算した［Ｃ＋Ｄ］を出力する。そして、減算器５０２は、加算器５００の出力［Ａ＋Ｂ］から加算器５０１の出力［Ｃ＋Ｄ］を減算してアドレス情報の再生信号ＲＰＰ＝［Ａ＋Ｂ］−［Ｃ＋Ｄ］を出力する。
【００６４】
また、プリフォーマット領域を構成する領域３０のファインクロックマークＦＣＭは、タンジェンシャルプッシュプル法により検出され、領域Ｂ１０２０Ｂで検出されたレーザ光強度［Ｂ］と領域Ｄ１０２０Ｄで検出されたレーザ光強度［Ｄ］との和から領域Ａ１０２０Ａで検出されたレーザ光強度［Ａ］と領域Ｃ１０２０Ｃで検出されたレーザ光強度［Ｃ］との和を減じたものとして検出される。
【００６５】
即ち、ファインクロックマークは、回路５０を構成する加算器５０３、５０４と減算器５０５により検出される。加算器５０３は、領域Ｂ１０２０Ｂで検出されたレーザ光強度［Ｂ］と領域Ｄ１０２０Ｄで検出されたレーザ光強度［Ｄ］とを加算した［Ｂ＋Ｄ］を出力し、加算器５０４は、領域Ａ１０２０Ａで検出されたレーザ光強度［Ａ］と領域Ｃ１０２０Ｃで検出されたレーザ光強度［Ｃ］とを加算した［Ａ＋Ｃ］を出力する。そして、減算器５０５は、加算器５０３の出力［Ｂ＋Ｄ］から加算器５０４の出力［Ａ＋Ｃ］を減算してファインクロックマークの再生信号ＴＰＰ＝［Ｂ＋Ｄ］−［Ａ＋Ｃ］を出力する。
【００６６】
図５を参照して、図３に示すデータ記録装置２００を構成するＰＬＬ回路１０４の構成を説明する。
【００６７】
ＰＬＬ回路１０４は、位相比較回路１０４１と、ＬＰＦ１０４２と、ＶＣＯ１０４３と、１／５３２分周器１０４４とを備える。１／５３２分周器１０４４は、電圧制御発振器（ＶＣＯ）１０４３から出力されるクロック（ＣＫ）を１／５３２に分周する。位相比較器１０４１は、１／５３２分周器１０４４により分周されたクロック（ＣＫ１）の位相をファインクロックマーク検出信号ＦＣＭＴの位相と比較し、その位相差に応じた誤差電圧を発生する。従って、このＰＬＬ回路１０４は、ファインクロックマーク検出信号ＦＣＭＴに同期しかつファインクロックマーク検出信号ＦＣＭＴの１／５３２の周期を有するクロック（ＣＫ）を生成する。
【００６８】
図６を参照して、ファインクロックマークＦＣＭの検出、およびクロック（ＣＫ）の生成について説明する。
【００６９】
光ピックアップ１０２中の光検出器１０２０は、上記図４を参照して説明したようにタンジェンシャルプッシュプル法によりファインクロックマーク信号（ＴＰＰ）を演算する。かかるファインクロックマーク信号（ＴＰＰ）は、ＦＣＭ検出回路１０３へ入力される。
【００７０】
ＦＣＭ検出回路１０３は、入力したファインクロックマーク信号（ＦＣＭ）の極性が切り変わる点Ｐ（ファインクロックマーク３の中心に位置する。）に同期したパルス信号（ＦＣＭＰ）を生成し、パルス信号（ＦＣＭＰ）の各パルス成分の立ち上がりに同期したファインクロックマーク検出信号（ＦＣＭＴ）を生成する。
【００７１】
なお、図６のファインクロックマーク信号（ＦＣＭ）は、レーザ光が光磁気記録媒体のグルーブ１を走行する場合に検出されるファインクロックマーク信号について説明したがランド２をレーザ光が走行する場合は検出されるファインクロックマーク信号の極性が変わるだけであり、点Ｐは変化しないのでランド２をレーザ光を走行する場合も同様にパルス信号（ＦＣＭＰ）、およびファインクロックマーク検出信号（ＦＣＭＴ）を生成できる。
【００７２】
ＦＣＭ検出回路１０３で検出されたファインクロックマーク検出信号（ＦＣＭＴ）は、ＰＬＬ回路１０４へ入力される。そして、上記図６を参照して説明したようにして、ファインクロックマーク検出信号（ＦＣＭＴ）に同期し、且つ、ファインクロックマーク検出信号（ＦＣＭＴ）を１／５３２に分周したクロック（ＣＫ）が生成される。
【００７３】
図７を参照して、アドレス検出回路１０５におけるアドレス情報の検出と、アドレス検出信号の生成について説明する。
【００７４】
光ピックアップ１０２は、図４を参照して説明したようにラジアルプッシュプル法によりウォブルで記録されたアドレス信号（ＲＰＰ）を演算し、アドレス信号（ＲＰＰ）はアドレス検出回路１０５へ入力される。アドレス検出回路１０５は、アドレス信号（ＲＰＰ）を２値化した２値化信号（ＡＤＤ）を生成し、２値化信号（ＡＤＤ）に基づいてアドレス情報（ＡＤ）が検出される。
【００７５】
ところで、上記図４を参照して説明したように、ユーザデータ領域である領域２０に記録されたデータを再生する方式と、プリフォーマット領域を構成する領域１０、３０を再生する方式は互いに異なっている。従って、領域２０からデータを再生することを考えると、領域１０、３０にはデータが記録されていないことに相当し、領域２０に記録されたデータが間欠的に再生される。その結果、領域１０に続く領域２０からデータを再生する場合、データが再生されない領域に続いて領域２０からデータが再生されるため、その再生信号に直流成分が重畳し、正確な再生が困難となる。これは、領域３０に続く領域２０からデータを再生する場合も同様である。
【００７６】
そこで、本実施の形態においては、領域１０、３０にも領域２０にデータを記録する方式と同じ方式でデータを記録する。これにより領域１０、３０からも領域２０と同じ方式によりデータを再生することができ、これにより、領域２０からデータを再生した場合に再生信号に直流成分が重畳することがない。
【００７７】
ただし、領域１０、３０の全区間に対して一律無条件にデータを記録すると、当該領域を走査する期間中、記録レーザパワーにてビームを出射し続けなければならない。ところが、かかる領域１０、３０は、上記の通り、グルーブおよびランド上に頻繁に現れるため、領域１０、３０の全区間に対して一律無条件にデータを記録すると、当該領域を走査する際に消費される電力の総計は、かなり大きなものとなってしまう。特に、領域１０は、走査区間が長いので、全期間にＤＣフリーパターンを記録するとなると、それにより、かなりの電力が消費されることになる。
【００７８】
そこで、本実施の形態では、領域１０、３０のうち、領域１０については、全区間に対して一律無条件にデータを記録せずに、領域２０からの再生信号に直流成分が重畳されないのに十分且つ最低限の区間だけデータの記録を行い、消費電力の上昇を抑制する。すなわち、領域２０に入る前の一定区間だけ、領域１０にデータ記録を行う。また、かかるデータ記録を、上記第１のパターン発生回路からのＤＣフリーパターンデータＷＰＴ１と、第２のパターン発生回路からのデータＷＰＴ２またはＷＰＴ３の２種類のデータパターンによって行う。
【００７９】
なお、ファインクロックマーク領域である領域３０には、ＤＣフリーパターンデータを記録する。ただし、かかる領域３０に対しても、領域１０と同様、ＤＣフリーパターンの記録を部分的に制限し、領域２０の直前の一定区間だけ、データを記録するようにしても良い。
【００８０】
図８に、領域１０（非ユーザデータ領域）に対するデータの記録方式を概念的に示す。図示の如く、データ領域直前の区間Ｃには、ＤＣフリーパターンデータＷＰＴ１を記録する。また、この区間Ｃよりも前の区間Ｂには、ＤＣレベルの偏ったデータＷＰＴ２またはＷＰＴ３を記録する。かかる区間Ｂの記録データをデータＷＰＴ２またはＷＰＴ３の何れとするかは、その前の区間Ａにおいて、プラス、マイナス何れの直流成分が再生信号に重畳されたかによって決定する。すなわち、プラスの直流成分が重畳されていればＷＰＴ３を記録し、マイナスの直流成分が重畳されていればＷＰＴ２を記録する。これにより、重畳された直流成分を相殺する。
【００８１】
区間Ａにおいては、レーザの強度を再生パワー程度に設定する。そして、かかる区間Ａにおいてはデータの記録を行わず、再生信号に重畳された直流成分を上記ＤＣレベル演算回路１２１にて検出する。そして、その検出結果に応じて、タイミング発生回路１１５が、データＷＰＴ２またはＷＰＴ３の何れかを選択し、これを区間Ｂにおいて記録する。かかるデータ記録によって、区間Ａにて直流成分の重畳によって歪んだ再生信号が通常の再生信号レベルにシフトされる。その後、区間ＣにおいてＤＣフリーパターンを記録し、直流成分の重畳を抑制する。なお、かかるＤＣフリーパターンの記録は、ユーザデータ領域における記録レーザパワーの安定化を図るための助走記録ともなる。
【００８２】
なお、区間Ｂと区間Ｃの長さは、ディスクに対する記録再生を繰り返し、その実測結果を検討分析することによって、最も好ましい長さに設定される。通常、区間Ｂと区間Ｃを加算した区間の長さは、非ユーザデータ領域に一切データを記録しない場合に歪んだ再生信号がその後のユーザデータ領域の再生によって正常な再生信号レベルに持ち上げられるのに必要な区間と同程度あるいはそれよりも幾分短い程度に設定すれば十分である。
【００８３】
次に、上記記録再生装置の動作について説明する。
【００８４】
まず、再生時の動作について説明する。再生時において、光ピックアップ１０２から出力されるＲＦ信号は、ＢＰＦ１０６からＢＣＨデコーダ１１２までの再生系によって上記の如く処理される。これにより、再生データ生成され、これが図示しない後段回路に出力される。また、同時に、光ピックアップからのタンジェンシャルプッシュプル信号がアドレス検出回路１０５に入力され、これによりアドレスデータ（ＡＤ）とアドレス同期信号（ＡＤＲ）が生成され、出力される。
【００８５】
さらに、光ピックアップからのラジアルプッシュプル信号がＦＣＭ検出回路１０３に入力され、これにより、ファインクロックマーク検出信号（ＦＣＭＴ）が生成される。かかるファインクロックマーク検出信号（ＦＣＭＴ）はＰＬＬ回路１０４に入力され、これによりクロック信号が生成される。かかるクロック信号は、各部において再生クロックとして利用される。
【００８６】
次に、記録時の動作について説明する。記録データは、ＢＣＨエンコーダ１１６によって誤り訂正を付加された後、データ変調回路１１７によって所定の変調方式に変調される。しかる後、フォーマット回路１１８にて、プリライトデータ等が付加され、セレクタ回路１２２に入力される。また、かかる記録データＷＳＥＬと共に、セレクタ回路１２２には、上記第１のパターン発生回路１２０または第２のパターン発生回路１１９から、パターンデータＷＰＴ１、ＷＰＴ２、ＷＰＴ３がそれぞれ入力される。
【００８７】
セレクタ回路１２２は、光磁気ディスク上の記録位置が所定の位置に達したタイミングで、これら入力データのうち何れかを選択し、これを磁気ヘッド駆動回路１２３に出力する。これにより、光磁気ディスク１００のグルーブまたはランド上には、上記記録データＷＦＭＴまたはパターンデータＷＰＴ１、ＷＰＴ２、ＷＰＴ３の何れかが記録される。
【００８８】
かかるタイミング制御は、タイミング発生回路１１５からのタイミング信号ＷＳＥＬに従って行われる。すなわち、タイミング発生回路１１５は、上記図１に示すセグメント１（Ｓ１）からセグメント３８（Ｓ３８）のユーザデータ領域（Ｕｓｅｒ Ｄａｔａ ｎ−１）に記録データＷＦＭＴが記録され、また、セグメント０（Ｓ０）のアドレス領域（Ａｄｄｒｅｓｓ）にパターンデータＷＰＴ１、ＷＰＴ２、ＷＰＴ３の何れかが記録され、さらに、セグメント１（Ｓ１）からセグメント３８（Ｓ３８）のＦＣＭ領域３にはデータパターンＷＰＴ１が記録されるように、セレクタ回路１２２に対してタイミング信号ＷＳＥＬを出力する。
【００８９】
図９に、アドレス領域に対しデータ記録を行う際の各種信号のタイミングチャートを示す。なお、説明の便宜上、ＦＣＭ区間におけるタイミングチャートについては図示省略してある。
【００９０】
アドレス検出回路１０５からのアドレス同期信号ＡＤＲに基づき、タイミング発生部１１５はＤＣレベル測定窓信号ＤＣＥＮを生成する。かかるＤＣレベル測定窓信号ＤＣＥＮを受けて、ＤＣレベル演算部１２１はＤＣレベル測定窓信号ＤＣＥＮがＨｉｇｈの区間において再生ＤＣレベルを演算し、ＤＣレベル測定窓信号ＤＣＥＮがＬｏｗになると同時に再生ＤＣレベルＤＣＬＶとして出力する。
【００９１】
またタイミング発生回路１１５は、ＤＣフリーなデータパターンＷＰＴ１、プラスまたはマイナスに偏ったＤＣレベルをもつデータパターンＷＰＴ２、ＷＰＴ３、およびフォーマットされた記録データＷＦＭＴのうち何れかを記録データＷＤＡＴとして選択するためのライトパターン選択信号ＷＳＥＬを出力する。
【００９２】
当該ライトパターン選択信号ＷＳＥＬ中、タイミングｔ１からｔ２までの“Ｘ”は、データパターンＷＰＴ２、ＷＰＴ３、および記録データＷＦＭＴのうち何れも選択しないことを示す。また、ｔ２からｔ３までの“ＷＰＴ２ｏｒＷＰＴ３”はデータパターンＷＰＴ２またはＷＰＴ３の何れかを選択することを示す。データパターンＷＰＴ２またはＷＰＴ３の何れを選択するかは、上記の通り、ＤＣレベル演算部１２１からの再生ＤＣレベルＤＣＬＶによって決定される。さらに、ｔ３からｔ４までの“ＷＰＴ１”はＤＣフリーなデータパターンＷＰＴ１を選択することを示す。
【００９３】
また、タイミング発生部１１５はライトパターン選択信号ＷＳＥＬと同期して、磁気ヘッド駆動窓信号ＷＭＥＮおよびレーザ駆動窓信号ＷＰＥＮを生成する。磁気ヘッド駆動窓信号ＷＭＥＮがＬｏｗの間は磁気ヘッドの駆動が禁止される。また、レーザ駆動窓信号ＷＰＥＮ中、タイミングｔ１からｔ２までは再生レーザパワーに設定することを示し、ｔ２以降は記録レーザパワーに設定することを示す。
【００９４】
かかる磁気ヘッド駆動窓信号ＷＭＥＮおよびレーザ駆動窓信号ＷＰＥＮによって、磁気ヘッド１２５と光ピックアップ１０２の駆動が制御される。そして、上記ライトパターン選択信号ＷＳＥＬによる選択制御と相俟って、アドレス領域中、タイミングｔ１からｔ２の期間は再生レーザパワーによる再生が実行され、ｔ２からｔ３の期間はプラスまたはマイナスに偏ったＤＣレベルをもつデータパターンＷＰＴ２またはＷＰＴ３の記録が実行され、ｔ３からｔ４の期間はＤＣフリーパターンＷＰＴ１の記録が実行される。
【００９５】
なお、図中に示したタイミングｔ１及びｔ４はアドレス同期信号ＡＤＲに同期しており、タイミングｔ２およびｔ３は再生ＤＣレベルＤＣＬＶに基づき実験的に定められるタイミングである。
【００９６】
図１０に上記記録動作のフローチャートを示す。記録動作が開始されると、ステップＳ１０１およびＳ１０２にてＦＣＭ領域またはアドレス領域が検出されるまで、ステップＳ１０３にて、記録データＷＦＭＴが選択されて記録される。ステップＳ１０１にてＦＣＭ領域が検出されると、ステップＳ１１１に進み、ＤＣフリーパターンＷＰＴ１が選択されて記録される。
【００９７】
ステップＳ１０２にて、アドレス領域の開始が検出されると、ステップＳ１０４にてレーザパワーが再生パワーに切り替えられる。そして、ステップＳ１０５にて再生信号に基づくＤＣレベルの演算が開始される。かかる演算は、ステップＳ１０６にてアドレス領域開始から時間ｔ２が経過したことが検出されるまで行われる。しかして時間ｔ２の経過が検出されると、ステップＳ１０７にて、ＤＣレベルの演算結果が参照され、かかるＤＣレベルの演算結果に基づいて、プラスまたはマイナスに偏ったＤＣレベルをもつデータパターンＷＰＴ２またはＷＰＴ３の何れかが選択される。
【００９８】
しかる後、ステップＳ１０８にてレーザパワーが記録レーザパワーに設定され、ステップＳ１０９にて、上記選択された何れかのデータパターン（ＷＰＴ２またはＷＰＴ３）の記録が開始される。かかる記録は、ステップＳ１１０にてアドレス領域開始から時間ｔ３が経過したことが検出されるまで行われる。
【００９９】
しかして時間ｔ３の経過が検出されると、ステップＳ１１１にて、ＤＣフリーパターンＷＰＴ１の記録が開始される。かかる記録は、ステップＳ１１２にてユーザ領域の開始が検出されるまで行われる。しかる後、ユーザ領域の開始が検出されると、ステップＳ１０１に戻り、上記と同様の動作を繰り返す。
【０１００】
上記実施の形態では、アドレス領域に、プラスまたはマイナスに偏ったＤＣレベルをもつデータパターンＷＰＴ２またはＷＰＴ３と、ＤＣフリーパターンＷＰＴ１とを記録するものであったが、これらのうち、プラスまたはマイナスに偏ったＤＣレベルをもつデータパターンＷＰＴ２またはＷＰＴ３のみ、あるいはＤＣフリーパターンＷＰＴ１のみをアドレス領域に記録するようにしても良い。
【０１０１】
図１１に、プラスまたはマイナスに偏ったＤＣレベルをもつデータパターンＷＰＴ２またはＷＰＴ３のみを記録する場合のフローチャートを示す。なお、上記図１１と同一ステップには同一のステップ番号を付してある。
【０１０２】
ステップＳ１０２にてアドレス領域の開始が検出されると、上記と同様、ステップＳ１０４およびＳ１０５にて、レーザパワーの切替えとＤＣレベルの演算が行われる。しかる後、ステップＳ１２０にて、アドレス領域の開始からｔ２１が経過したことが判別されると、上記と同様、ステップＳ１０７〜Ｓ１０９にて、データパターンＷＰＴ２またはＷＰＴ３の何れかが選択されて記録される。一方、ＦＣＭ領域には、ステップＳ１０１およびＳ１１１にて、ＤＣフリーパターンが記録される。
【０１０３】
かかる制御フローに従えば、アドレス領域に対するデータパターンＷＰＴ２またはＷＰＴ３の記録によって、ＤＣレベルの重畳による再生信号の歪みがユーザデータ領域に到るまでに徐々に解消される。そして、アドレス領域に続くユーザデータ領域に到達したタイミングにおいては、再生信号に重畳されたＤＣレベルは、再生に支障のない程度にまで低減されている。
【０１０４】
なお、ステップＳ１２０において設定されるタイミングｔ２１は、その後のデータパターンＷＰＴ２またはＷＰＴ３の記録によって再生信号のＤＣレベルが十分に低減されるように、再生ＤＣレベルの演算結果ＤＣＬＶに基づいて、実験的に設定されるものである。
【０１０５】
図１２に、ＤＣフリーパターンＷＰＴ１のみをアドレス領域に記録する場合のフローチャートを示す。なお、上記図１１と同一ステップには同一のステップ番号を付してある。
【０１０６】
ステップＳ１０２にてアドレス領域の開始が検出されると、上記と同様、ステップＳ１０４にて、レーザパワーの切替えが行われる。しかる後、ステップＳ１３０にて、アドレス領域の開始からｔ２２が経過したことが判別されると、上記と同様、ステップＳ１０８、Ｓ１１１にて、ＤＣフリーパターンが記録される。
【０１０７】
かかる制御フローに従えば、アドレス領域に対するＤＣフリーパターンＷＰＴ１３の記録によって、ＤＣレベルの重畳による再生信号の歪みがユーザデータ領域に到るまでに徐々に解消される。そして、アドレス領域に続くユーザデータ領域に到達したタイミングにおいては、再生信号に重畳されたＤＣレベルは、再生に支障のない程度にまで低減されている。
【０１０８】
なお、ステップＳ１３０において設定されるタイミングｔ２２は、その後のＤＣフリーパターンＷＰＴ１の記録によって再生信号のＤＣレベルが十分に低減されるように、予め実験的に設定されるものである。
【０１０９】
ところで、上記実施の形態では、アドレス領域を例に挙げてデータの記録制御を説明したが、これと同様に、ディスク上のディフェクト領域にもプラスまたはマイナスに偏ったＤＣレベルをもつデータパターンＷＰＴ２またはＷＰＴ３と、ＤＣフリーパターンＷＰＴ１とを順次記録するようにしても良い。
【０１１０】
上記従来技術の項においても説明したように、光磁気ディスク１００には、欠損によりユーザデータを記録することができないディフェクトエリアが存在することがある。かかる場合、図３に示すコントローラ１１４は、アドレス検出回路１０５が検出したアドレス情報と、ＤＭＡ（Ｄｅｆｅｃｔ Ｍａｎａｇｅｍｅｎｔ Ａｒｅａ）に予め記録されているディフェクトフレームのアドレス情報情報とにより、ディフェクトフレームを特定する。そして、ディフェクトフレームの検出信号を出力する。
【０１１１】
したがって、かかるディフェクトフレームの検出信号をタイミング発生回路１１５へ出力するようにすれば、タイミング発生回路１１５は、ディフェクトフレームの区間を判別することができる。しかして、タイミング発生回路１１５は、ディフェクトフレーム検出信号に基づいて、上記と同様、当該ディフェクトフレームの開始に応じてレーザパワーを再生レーザパワーに設定し、所定のタイミングでデータパターンＷＰＴ２またはＷＰＴ３、およびＤＣフリーパターンＷＰＴ１を記録するようなタイミング信号を生成する。これにより、上記と同様、かかるディフェクトフレーム区間に、ＤＣレベルの重畳を解消し得るデータパターンを記録することができるようになる。
【０１１２】
以上、本発明に係る種々の実施形態を説明したが、本発明はかかる実施形態に限定されるものではなく、他に種々の変更が可能であることはいうまでもない。
【０１１３】
たとえば、上記実施の形態では、光磁気ディスクを例に挙げて説明したが、交流結合方式にて情報を記録再生するその他の記録媒体に対しても本発明を適用できる。また、上記実施の形態における記録媒体は、グルーブとランド構造を有するものであったが、それ以外のトラック構造を有する媒体にも勿論適用可能である。
【０１１４】
さらに、上記実施の形態では、ＦＣＭ領域にＤＣフリーパターンをそのまま記録するようにしたが、これに代えて、上記実施の形態と同様、かかるＦＣＭ領域にもデータパターンＷＰＴ２またはＷＰＴ３のみの記録、およびそれとＤＣフリーパターンＷＰＴ１との両方の記録を行うようにしても良い。
【０１１５】
その他、非ユーザ領域は、上記ＦＣＭ領域、アドレス領域、ディフェクトフレーム領域に限られず、それぞれの媒体の構造、データ構成に応じて種々変更され得るものである。
【０１１６】
本発明の実施の形態は、本発明の技術的思想の範囲内において、適宜、種々の変更が可能である。
【０１１７】
【発明の効果】
以上、本発明によれば、非ユーザ領域に対し、偏ったＤＣレベルをもつパターンデータやＤＣフリーパターン等のＤＣレベルを抑制するようなパターンデータを記録するものであるから、かかる非ユーザ領域の再生時に再生信号に直流成分が重畳することはなく、よって、良好な再生動作を実現することができる。また、非ユーザ領域の全てにかかるパターンデータを記録するのではなく、ユーザ領域直前の一部にのみパターンデータを記録するものであるから、非ユーザ領域全てにＤＣフリーパターンデータを記録する場合に比べ、非ユーザ領域への記録に消費される電力を著しく低減することができるようになる。このように、本発明によれば、非ユーザ領域における直流成分の重畳の抑制と、消費電力の低減を同時に図ることができ、特に、携帯型機器に搭載して、顕著な効果を発揮するものである。
【図面の簡単な説明】
【図１】  実施の形態に係る光磁気ディスクとそのフォーマットを示す図
【図２】  実施の形態に係る記録データ列のデータフォーマットを示す図
【図３】  実施の形態に係る記録再生装置の構成を示す図
【図４】  実施の形態に係る光検出器とそれによる信号生成方法を示す図
【図５】  実施の形態に係るＰＬＬ回路の構成を示す図
【図６】  実施の形態に係るクロック信号の生成方法を示す図
【図７】  実施の形態に係るアドレスデータの生成方法を示す図
【図８】  実施の形態に係る非ユーザデータ領域の記録概念を示す図
【図９】  実施の形態に係る各種信号のタイミングチャートを示す図
【図１０】実施の形態に係る記録動作を示すフローチャート
【図１１】実施の形態に係る他の記録動作を示すフローチャート
【図１２】実施の形態に係るさらに他の記録動作を示すフローチャート
【符号の説明】
１０２  光ピックアップ
１０５  アドレス検出回路
１１５  タイミング発生回路
１１９  第２のパターン発生回路
１２０  第１のパターン発生回路
１２１  ＤＣレベル演算部
１２２  セレクタ回路
１２４  レーザ駆動回路
【図１】
0003796185.tif 000002
【図２】
0003796185.tif 000003
【図３】
0003796185.tif 000004
【図４】
0003796185.tif 000005
【図５】
0003796185.tif 000006
【図６】
0003796185.tif 000007
【図７】
0003796185.tif 000008
【図８】
0003796185.tif 000009
【図９】
0003796185.tif 000010
【図１０】
0003796185.tif 000011
【図１１】
0003796185.tif 000012
【図１２】
0003796185.tif 000013